(57)【要約】【課題】機構が簡単で、しかもメンテナンス性を向上できる景品払出装置を提供する。【解決手段】装置本体２に設けられたユニット収容部２５に、駆動ユニット３が複数組着脱自在に収容される。駆動ユニット３は、２つのケース３１Ａ，３１Ｂを１組として一体に構成されたユニット本体３１と、装置本体２から景品Ｑを払い出す搬送力を与える駆動モータ３２Ａ，３２Ｂおよび駆動力伝達機構３３Ａ，３３Ｂと、を備えている。駆動モータ３２Ａ，３２Ｂおよび駆動力伝達機構３３Ａ，３３Ｂは、ユニット本体３１の水平投影面内に収容され、かつ、駆動モータ３２Ａ，３２Ｂの駆動軸が互いに逆向きとなるように配置されている。【選択図】図３
2007296142.tif 000002
【特許請求の範囲】
【請求項１】
ユニット収容部を備えた装置本体と、
前記ユニット収容部に着脱自在に保持され、景品を納めたマガジンを収容可能に装填されるマガジン収容空間を有する駆動ユニットと、を有し、払出指令に基づいて所定個数の景品を払い出す景品払出装置であって、
前記駆動ユニットのマガジン収容空間が、複数列のマガジンを区分収容可能に構成されるとともに、前記マガジン収容空間に臨む駆動機構収容部は、前記景品を払い出す搬送力を与える駆動モータおよび各マガジンに収容された景品を独立して排出可能に前記駆動モータの駆動力を伝達する駆動力伝達機構を備えることを特徴とする景品払出装置。
【請求項２】
前記駆動ユニットは、さらに複数組で構成されて、前記ユニット収容部に収容されていることを特徴とする請求項１に記載の景品払出装置。
【請求項３】
前記駆動ユニットのマガジン収容空間は、２列のケースを１組として一体に構成され、前記駆動モータは、前記ケース毎に設けられており、
前記駆動モータは、前記ユニット本体の水平投影面内に収容され、かつ、前記駆動モータの駆動軸が互いに逆向きとなるように配置されていることを特徴とする請求項１または請求項２に記載の景品払出装置。
【請求項４】
前記駆動ユニットは、回動可能に連結されたユニット固定部を有し、前記ユニット固定部を一方向に回動させた状態で、前記駆動ユニットを前記装置本体に位置決め固定することを特徴とする請求項１から請求項３のいずれか１項に記載の景品払出装置。
【請求項５】
前記装置本体から前記駆動ユニットの着脱を判定する判定手段を有し、前記判定手段によって前記駆動ユニットが脱状態であると判定されたときに、前記脱状態の駆動ユニットからの前記景品の払い出しを中止して、残りの駆動ユニットのみで払い出しを継続することを特徴とする請求項２から請求項４のいずれか１項に記載の景品払出装置。
【発明の詳細な説明】
【技術分野】
【０００１】
本発明は、パチンコ店などの遊技場に設置される景品払出装置に関する。
【背景技術】
【０００２】
パチンコ店などの遊技場において、特殊景品の払出用として設置される景品払出装置としては、大別して、据え置きタイプと卓上タイプの２種類がある。また、景品払出装置には、複数種類の景品が収容されるようになっており、いずれのタイプも、景品を種類毎に収容し、モータおよび駆動力伝達機構を介して払出口から各種類の景品を必要な枚数払い出すことができるようになっている。例えば、コスト性やコンパクト性を重視して、単一のモータにより、すべての種類の景品の搬送動力をまかなうように構成し、クラッチ機構などを介して駆動力の伝達および遮断を行う技術が提案されている（特許文献１参照）。
【特許文献１】特開２００４−３５７８３２号公報（図４）
【発明の開示】
【発明が解決しようとする課題】
【０００３】
しかしながら、前記した従来の技術では、モータに不具合が生じた場合や、景品を収容する収容部に景品詰まりなどの不具合が生じた場合に、景品払出装置全体の動作が停止してしまうため、メンテナンスを行っている間中、景品払出装置の動作は完全に停止してしまい業務が滞ってしまうという問題がある。さらに、駆動力伝達機構上で駆動力の伝達と遮断の切り替えを行うため、機構が複雑になり、不具合が発生する確率が高くなり、メンテナンス性が悪化するという問題もある。
【０００４】
本発明は、前記従来の課題を解決するものであり、機構が簡単で、しかもメンテナンス性を向上できる景品払出装置を提供することを目的とする。
【課題を解決するための手段】
【０００５】
本発明は、ユニット収容部を備えた装置本体と、前記ユニット収容部に着脱自在に保持され、景品を納めたマガジンを収容可能に装填されるマガジン収容空間を有する駆動ユニットと、を有し、払出指令に基づいて所定個数の景品を払い出す景品払出装置であって、前記駆動ユニットのマガジン収容空間が、複数列のマガジンを区分収容可能に構成されるとともに、前記マガジン収容空間に臨む駆動機構収容部は、前記景品を払い出す搬送力を与える駆動モータおよび各マガジンに収容された景品を独立して排出可能に前記駆動モータの駆動力を伝達する駆動力伝達機構を備えることを特徴とする。
【０００６】
これによれば、複数のケースを１組としてユニット本体を構成することで、不具合が生じた駆動ユニットのみを装置本体から取り外せばよいので、メンテナンス作業が容易になる。また、ケース毎に駆動モータおよび駆動力伝達機構が設けられているので、駆動力の伝達および遮断を機械的に行う機構が不要になるので、機構が簡略化される。
【０００７】
また、前記駆動ユニットは、さらに複数組で構成されて、前記ユニット収容部に収容されている構成にできる。
【０００８】
これによれば、装置本体に対して駆動ユニット毎に着脱可能となるので、メンテナンス作業が容易になる。また、駆動ユニット毎に着脱することができるので、駆動ユニットの着脱作業を容易にできるようになる。
【０００９】
例えば、前記駆動ユニットのマガジン収容空間は、２列のケースを１組として一体に構成され、前記駆動モータは、前記ケース毎に設けられており、前記駆動モータは、前記ユニット本体の水平投影面内に収容され、かつ、前記駆動モータの駆動軸が互いに逆向きとなるように配置されている。
【００１０】
これによれば、ユニット本体内に各駆動モータをコンパクトに配置することが可能になり、駆動ユニットの小型化を図ることができる。
【００１１】
また、前記駆動ユニットは、回動可能に連結されたユニット固定部を有し、前記ユニット固定部を一方向に回動させた状態で、前記駆動ユニットを前記装置本体に位置決め固定する構成にできる。
【００１２】
これによれば、駆動ユニットの収容時および抜き取り時のスライドスペースを確保して、駆動ユニットの着脱作業が容易になる。
【００１３】
また、前記装置本体から前記駆動ユニットの着脱を判定する判定手段を有し、前記判定手段によって前記駆動ユニットが脱状態であると判定されたときに、前記脱状態の駆動ユニットからの前記景品の払い出しを中止して、残りの駆動ユニットのみで払い出しを継続する構成にできる。
【００１４】
これによれば、駆動ユニットの一部が装置本体から抜き取られた状態であっても、残りの駆動ユニットで景品の払出動作を継続することが可能になる。
【発明の効果】
【００１５】
本発明によれば、機構が簡単で、しかもメンテナンス性を向上できる景品払出装置を提供できる。
【発明を実施するための最良の形態】
【００１６】
図１は本実施形態の景品払出措置の外観を示し、（ａ）は正面図、（ｂ）は側面図、図２は本実施形態の景品払出装置の外観斜視図、図３は本実施形態の景品払出装置の内部構造を示す分解斜視図、図４は駆動ユニットを示す平面図、図５は駆動ユニットを示す側面図であり、（ａ）は図４のＡ方向から見たときの図、（ｂ）は図４のＢ方向からみたときの図、図６は駆動ユニットを示す正面図、図７は図６のＣ矢視図、図８は図６のＤ矢視図、図９は駆動ユニットに装填されるマガジンを示し、（ａ）は側面図、（ｂ）は正面図、（ｃ）は背面図、（ｄ）は（ａ）のＥ−Ｅ断面図、図１０は本実施形態の景品払出装置を示す制御ブロック図である。
【００１７】
図１（ａ）および（ｂ）に示すように、本実施形態の景品払出装置１は、パチンコ店などの遊技場で貴金属などの高価な景品が収容されたカード状の特殊景品（以下、景品と略記する）を払い出す装置であり、装置本体２、駆動ユニット３などで構成されている。また、本実施形態における景品払出装置１は、図２に示すように、卓上タイプであり、遊技場のカウンタＣ上に設置されて利用されるものである。
【００１８】
図１および図２に示すように、前記装置本体２は、筐体２１と、ユニット着脱用扉２２，２３と、景品取出し用扉２４とを備えている。なお、以下に示す実施形態では、ユニット着脱用扉２２，２３および景品取出し用扉２４が設けられた側が店員側で、逆側（後側）が客側となるように構成されている。したがって、本実施形態では、景品払出装置１から払い出された景品を店員が取り出して、客に手渡しするようになっている。
【００１９】
前記筐体２１は、横長で、側面視したときの形状が、下部の奥行きが長く、上部にむかうにつれて奥行きが徐々に短くなる山型状に形成されている。また、筐体２１の下面には、装置をカウンタＴ上にガタツキなく設置するための、高さ調節可能な４本の脚部２１ｓが設けられている。
【００２０】
図１（ｂ）に示すように、前記ユニット着脱用扉２２は、店員側に設けられ、高さ方向中央部から上面全体を含んで大きく開放するようになっており、上面後端を軸として回動可能に支持されている。前記ユニット着脱用扉２３は、ユニット着脱用扉２２と景品取出し用扉２４との間に設けられ、開放したときに、筐体２１に対して、その下部が筐体２１内に位置し、上部が筐体２１の外側に突出するように支持されている。
【００２１】
前記景品取出し用扉２４は、景品の払い出しが完了したときに開く扉であり、開放したときに、筐体２１に対して、その下部が筐体２１内に位置し、上部が筐体２１の外部に突出するように回動可能に支持されている。
【００２２】
また、前記筐体２１は、客側に背面パネル２２ａを有し、この背面パネル２２ａが、水平方向にスライド可能に突出するようになっている。
【００２３】
これらのユニット着脱用扉２２，２３、景品取出し用扉２４および背面パネル２２ａは、すべてが完全に閉じられたときに、側面視して、筐体２１から外側に突出しないようになっている。
【００２４】
また、前記ユニット着脱用扉２２には、店員が視認するための小型の表示部２６が設けられ（図２参照）、また背面パネル２２ａには、客が視認するための大型の表示部（図示せず）が設けられている。これら表示部２６は、液晶、有機ＥＬ（エレクトロルミネッセンス）などの薄型の表示手段により構成されている。
【００２５】
図３に示すように、前記装置本体２は、基本構成が同一（後記する景品タイプを区分するための部分を除いて同一構成）の駆動ユニット３を複数台（本実施形態では４台であるが、この台数に限定されない）収容可能なユニット収容部２５を備えている。このユニット収容部２５は、筐体２１の下部、具体的にはユニット着脱用扉２３の高さ位置よりも下側に設けられた凹状の空間によって構成されている（図１（ｂ）参照）。
【００２６】
また、前記装置本体２には、前記景品取出し用扉２４の裏側に、払い出された景品を取り出すための複数の景品取出し口２７が設けられている。この景品取出し口２７は、それぞれの駆動ユニット３に設けられた後記するケース３Ａ，３Ｂに対応する数（計８個）だけ設けられている。
【００２７】
図３に示すように、前記駆動ユニット３は、ユニット本体３１と、駆動モータ３２Ａ，３２Ｂと、駆動力伝達機構３３Ａ，３３Ｂとを含んで構成され、マガジンＭ（一方のみ図示）がそれぞれのケース３１Ａ，３１Ｂに収められるようになっている。なお、図３は、１組の駆動ユニット３を装置本体２から抜き出した状態であり、マガジンＭには景品Ｑが収容されている。
【００２８】
前記ユニット本体３１は、大別すると、マガジンＭを収容するマガジン収容空間Ｓａ，Ｓｂと、駆動機構を収容する駆動機構収容部Ｕとに区分され、マガジン収容空間Ｓａ，Ｓｂは、ケース３１Ａとケース３１Ｂとを１組（２列を１組）として一体的に構成されている。なお、ユニット本体３１を図３の紙面手前側の正面からみたときに、右側にケース３１Ａが位置し、左側にケース３１Ｂが位置している。
【００２９】
前記ユニット本体３１のマガジン収容空間Ｓａ，Ｓｂは、それぞれ金属板で形成された、左右方向（駆動ユニット３の並び方向）に並んで位置する側板３１ａ，３１ｂ，３１ｃと、前後方向（奥行き方向）に位置する側板３１ｄ，３１ｅ，３１ｆ，３１ｇと、を有している。側板３１ａ，３１ｂ，３１ｄ，３１ｅで方形状に囲まれた内側の空間が、ケース３１Ａのマガジン収容空間Ｓａとして構成され、側板３１ｂ，３１ｃ，３１ｆ，３１ｇで方形状に囲まれた内側の空間が、ケース３１Ｂのマガジン収容空間Ｓｂとして構成されている。なお、本実施形態では、側板３１ｂが、ケース３１Ａとケース３１Ｂの共通の側板となるように構成されている。
【００３０】
前記側板３１ａは、側面視で横長矩形状の外形における前側（図５における左上）に位置する上部角部が、略四角状に切り欠かれた切欠部３１ａ１を有している。また、前記側板３１ｃについても、同様にして、前側に位置する上部角部が、略四角形状に切り欠かれた切欠部３１ｃ１を有している。なお、側板３１ｂについても、側板３１ａ，３１ｃと同様にして、切欠部３１ｂ１を有している。また、側板３１ｄは、側板３１ａ，３１ｂの前方上縁部と同じ高さに形成され、側板３１ｅは、側板３１ａ，３１ｂの後方上縁部と同じ高さに形成されている。また、側板３１ｆは、側板３１ｂ，３１ｃの前方上縁部と同じ高さに形成され、側板３１ｇは、側板３１ｂ，３１ｃの後方上縁部と同じ高さに形成されている。これにより、マガジン収容空間Ｓａ，Ｓｂには、前方が後方よりも一段低く形成された本実施形態の開放部Ｐａ，Ｐｂが形成されるようになっている（図５参照）。また、前記側板３１ｄ，３１ｆには、図６に示すように、景品Ｑが排出される開口部３１ｄ１，３１ｆ１が形成されている。なお、側板３１ａ，３１ｂ，３１ｃには、それぞれ適宜大きさの孔ｎが複数個（本実施形態では各４個）形成されており、ユニット本体３１全体の軽量化が図られている。また、マガジン収容空間Ｓａ，Ｓｂには、マガジンＭを収容する際の工程の容易化を図る各種部材、ユニット本体３１の着脱を容易化する部材が設けられているが、これについては後記する。
【００３１】
図５（ａ），（ｂ）に示すように、マガジン収容空間Ｓａ，Ｓｂの下部に形成された駆動機構収容部Ｕは、薄板状の金属板を曲げ、孔あけ、溶着加工等により図示のように形成され、前記駆動モータ３２Ａ，３２Ｂと駆動力伝達機構３３Ａ，３３Ｂにより景品を払い出すための搬送手段が構成されている。
【００３２】
前記駆動モータ３２Ａは、回転力を得ることができる電動式のものであり、図７に示すように、ユニット本体３１の底部の後寄りに設けられている。また、駆動モータ３２Ｂは、駆動モータ３２Ａと同様なものであり、ユニット本体３１の底部の前寄りに設けられている。また、駆動モータ３２Ａと駆動モータ３２Ｂは、図８に示すように、前後方向にラップして、ほぼ全体が重なった状態となるように配置されている。なお、駆動モータ３２Ａ，３２Ｂは、一方向にのみ回転可能なモータであってもよく、または正逆両方向に回転可能なモータであってもよい。
【００３３】
また、図８に示すように、前記駆動モータ３２Ａ，３２Ｂは、駆動軸ｍ１，ｍ２を有し、駆動モータ３２Ａの駆動軸ｍ１と、駆動モータ３２Ｂの駆動軸ｍ２とが、互いに逆向き（１８０度反転した向き）となるように配置されている。
【００３４】
前記駆動力伝達機構３３Ａは、プーリーＰ１，Ｐ２，Ｐ３，Ｐ４、駆動力伝達ベルトＢ１、景品搬送ベルトＢ２で構成されている。また、駆動力伝達機構３３Ｂについても、同様に、プーリーＰ５，Ｐ６，Ｐ７，Ｐ８、駆動力伝達ベルトＢ３、景品搬送ベルトＢ４で構成されている。
【００３５】
前記プーリーＰ１は、駆動モータ３２Ａの駆動軸ｍ１に固定され、駆動軸ｍ１の回転とともに回転するようになっている。前記プーリーＰ２は、ユニット本体３１の前端に位置し、かつ、駆動モータ３２Ｂの斜め上方に位置するように回転自在に支持されている（図５（ａ）参照）。前記プーリーＰ３は、プーリーＰ２と同軸で一体に回転するようにユニット本体３１に支持され、マガジン収容空間Ｓａの幅方向の中央部に位置するように配置されている（図６参照）。前記プーリーＰ４は、プーリーＰ３と同径で、マガジン収容空間Ｓａの幅方向の中央部かつ後方に位置するようにユニット本体３１に回転自在に支持されている。
【００３６】
前記駆動力伝達ベルトＢ１は、ゴムや合成樹脂などで形成された無端状のベルトであり、プーリーＰ１，Ｐ２に架け渡されている。
【００３７】
前記景品搬送ベルトＢ２は、ゴムや合成樹脂などで形成された無端状のベルトであり、プーリーＰ３，Ｐ４に掛け渡されている。この景品搬送ベルトＢ２は、ケース３１Ａのマガジン収容空間Ｓａの中央底部に露出している（図４参照）。また、景品搬送ベルトＢ２の表面には、景品Ｑを引っ掛けて搬送するための凸条の景品引っ掛け突起４１が形成されている。本実施形態では、景品引っ掛け突起４１が３個形成されている（図７参照）。
【００３８】
なお、前記プーリーＰ５，Ｐ６，Ｐ７，Ｐ８、駆動力伝達ベルトＢ３および景品搬送ベルトＢ４についても、前記と同様にして設けられている。ただし、駆動力伝達機構３３Ａと駆動力伝達機構３３Ｂとでは、駆動モータ３２Ａ，３２Ｂの位置が異なるので、駆動力伝達機構３３Ａでは、図５（ａ）に示すように、プーリーＰ１とプーリーＰ２（Ｐ３）との距離が長くなるため、駆動力伝達ベルトＢ１の長さが長くなり、駆動力伝達機構３３Ｂでは、図５（ｂ）に示すように、プーリーＰ５とプーリーＰ６（Ｐ７）との距離が前記と比べて短くなるため、駆動力伝達ベルトＢ３の長さが短くなっている。
【００３９】
このように、本実施形態では、複数のケース３１Ａ，３１Ｂを１組としてユニット本体３１を構成しているので、不具合が生じた駆動ユニット３のみを取り外すだけでよいので、メンテナンス作業が容易になる。また、ケース３１Ａ，３１Ｂ毎に駆動モータ３２Ａ，３２Ｂおよび駆動力伝達機構３３Ａ，３３Ｂが設けられているので、従来のような駆動力の伝達や遮断を選択的に切り替える機構を景品払出装置１を貫くように設ける必要がなくなり、機構の簡略化を図ることができる。また、駆動ユニット３をさらに複数組で構成することで、全部の駆動ユニット３を取り外す必要がなくなるので駆動ユニット３の着脱作業が容易になり、またメンテナンス作業も容易になる。
【００４０】
また、本実施形態では、駆動モータ３２Ａ，３２Ｂが互い違いになるようにユニット本体３１の水平投影面内に収容されているので（図８参照）、ユニット本体３１内に駆動モータ３２Ａ，３２Ｂをコンパクトに配置することが可能になり、駆動ユニット３の小型化を図ることができる。また、駆動力伝達機構３３Ａ，３３Ｂについても、ユニット本体３１の水平投影面内に収容されているので、駆動力伝達機構３３Ａ，３３Ｂがユニット本体３１から外側に突出することがなくなり、駆動ユニット３の小型化が図れる。
【００４１】
次に、マガジン収容空間Ｓａ，Ｓｂにおける各種部材について説明する。
図７に示すように、ケース３１Ａの内壁には、揺動ガイド部３４、案内ガイド部３５、位置決めガイド部３６が設けられている。なお、図７は、ケース３１Ａ側のマガジン収容空間Ｓａを示している。また、ケース３１Ａの内壁には、紙面手前側の対向する内壁にも、揺動ガイド部３４、案内ガイド部３５、位置決めガイド部３６（図示せず）が設けられている（図６参照）。また、ケース３１Ｂについても、同様にして、一対の揺動ガイド部３４、一対の案内ガイド部３５、一対の位置決めガイド部３６が設けられている。したがって、図７の紙面手前側に位置する各ガイド部３４，３５，３６およびケース３１Ｂ側の各ガイド部３４，３５，３６の説明については同一の符号を付して省略する。
【００４２】
前記揺動ガイド部３４は、マガジンＭの揺動を許容しながら支持する円盤状の部材で形成され、側板３１ｂの上部、かつ、マガジン収容空間Ｓａの前後方向の中央部に固定されている。
【００４３】
前記案内ガイド部３５は、開放部Ｐａと対向する側（マガジンＭの挿入方向の奥側）の側板３１ｅに固定され、所定の幅で上下方向に延びて形成されている。この案内ガイド部３５は、上部の範囲Ｒ１内ではその表面と中心Ｏ（図７参照）との距離が寸法Ｌ１で形成された平坦面３５ｂを有し、下部の範囲Ｒ２内ではその表面と中心Ｏとの距離が前記寸法Ｌ１よりも短い寸法Ｌ２で形成された平坦面３５ｃを有している。さらに、案内ガイド部３５は、その範囲Ｒ１と範囲Ｒ２との間の範囲Ｒ３は、平坦面３５ｂと平坦面３５ｃとの間で滑らかに連続的な面となるような傾斜面３５ａを有している。
【００４４】
前記位置決めガイド部３６は、揺動ガイド部３４の径と同じ幅で形成された略長方形状の部材で形成され、側板３１ｂの下部、かつ、マガジン収容空間Ｓａの前後方向の中央部に固定されている。すなわち、位置決めガイド部３６は、前記揺動ガイド部３４に対して、マガジンＭを駆動ユニット３に装填したときに、マガジンＭが垂直に起立した状態で収容される位置に形成されている。
【００４５】
さらに、前記マガジン収容空間Ｓａには、側板３１ｄに、前記案内ガイド部３５と対向する位置に、所定の幅で上下方向に延びて形成されたガイド部３７が設けられている。また、ガイド部３７は、底部から所定高さ位置までの範囲Ｒ３内では、その表面と中心Ｏとの距離が短く（寸法Ｌ２）形成された平坦面３７ｃを有し、所定高さよりも上側では、その表面と中心Ｏとの距離が徐々に長くなる傾斜面３７ａを有している。
【００４６】
なお、前記した揺動ガイド部３４、案内ガイド部３５、位置決めガイド部３６、ガイド部３７の材質としては、マガジンＭを円滑に動作させることができ、かつ、耐摩耗性などに優れるものであれば、特に限定されるものではないが、例えば、ガラス繊維入りのポリアセタール（略称：ＰＯＭ）を挙げることができる。
【００４７】
以上のように、マガジン収容空間Ｓａでは、側板３１ａ，３１ｂと、案内ガイド部３５の平坦面３５ｃ，３５ｃと、ガイド部３７の平坦面３７ｃ，３７ｃとで、マガジンＭの揺動を防止するための本実施形態の側壁が構成されている。
【００４８】
図９（ａ）〜（ｃ）に示すように、前記マガジンＭは、四角薄板状の景品Ｑを厚み方向に複数枚積層した状態で収納することができる内部空間を有し、四角筒状の筐体５０により形成されている。また、図９（ａ）に示すように、マガジンＭの側面には、凹状の案内溝５１が上端から下端にかけて所定の幅寸法Ｗで形成されている。この幅寸法Ｗは、前記した揺動ガイド部３４および位置決めガイド部３６が摺動しながら案内される寸法に設定されている。なお、マガジンＭの反対側の側面にも、揺動ガイド部３４および位置決めガイド部３６と摺動可能な案内溝５１が形成されている。
【００４９】
図９（ｂ）に示すように、マガジンＭの正面には、縦長形状で幅広の窓５２が形成され、この窓５２から収容された景品Ｑを視認できるようになっている。また、マガジンＭの下端部には、幅がほぼ同じに形成されたプレート５３が固定されている。このプレート５３には、上下方向に動作可能な門型のシャッタ５４が設けられ、このシャッタ５４が図示しない付勢手段によって常に下方に付勢されるようになっている。一方、図４に示すように、前記したマガジン収容空間Ｓａ，Ｓｂ内の底部の前端部には、水平かつ後方に突出する凸板部３１ｈが設けられ、この凸板部３１ｈにシャッタ５４が当接することで押し上げられて開放するようになっている。
【００５０】
また、図９（ｂ）に示すように、前記シャッタ５４の内側には、マガジンＭを識別するためのマガジン識別板５５が設けられている。このマガジン識別板５５は、前方（紙面手前側）に突出する一対の突片５５ａ，５５ａを有している。一方、図４に示すように、マガジン収容空間Ｓａ，Ｓｂ内の前記凸板部３１ｈには、突片５５ａ，５５ａと同じ間隔で形成された一対のスリット３１ｉ，３１ｉが形成され、このスリット３１ｉ，３１ｉ内を、マガジン識別板５５の突片５５ａ，５５ａが通り抜けることで、マガジンＭがマガジン収容空間Ｓａ，Ｓｂ内に完全に装填できるようになっている。よって、景品Ｑの種類毎に、マガジン識別板５５の突片５５ａ，５５ａの間隔と、スリット３１ｉ，３１ｉの間隔を変えることで、マガジンＭの装填位置の間違いを防止できるようになっている。
【００５１】
マガジン収容空間Ｓａ，Ｓｂ内の底部の後端には、マガジンＭの前後方向の逆挿しを防止するための、水平かつ前方に突出する一対の突板部３１ｊ，３１ｊが設けられている。つまり、装填位置は正しいが、マガジンＭの前後を逆に挿した場合には、前記マガジン識別板５５が突板部３１ｊ，３１ｊに当接することで逆挿しを防止できる。
【００５２】
なお、図示していないが、マガジンＭの下端正面には、シャッタ５４が上がったときに、景品１枚分の景品Ｑが通り抜けることができるスリット状の搬送路が形成されるようになっている。そして、駆動ユニット３からマガジンＭを抜き取った場合には、シャッタ５４が降りて、スリットが閉じるようになって、例えばマガジンＭを運搬中にマガジンＭからの景品Ｑの脱落が防止される。
【００５３】
さらに、図９（ｃ）に示すように、マガジンＭの背面には、細縦長形状の窓５６が形成され、この窓５６から内部に収容された景品Ｑを視認できるようになっている。また、マガジンＭの下端背面には、横細長形状の２本のプレート５７，５８が固定されている。
【００５４】
また、図９（ａ）〜（ｃ）に示すように、マガジンＭ内には、積層された景品Ｑの最上部に景品錘６０が載せられている。この景品錘６０は、平面視したときの形状が、景品Ｑとほぼ同じ面積を有するプレート状である（図９（ｄ）参照）。また、景品錘６０には、つまみ６１が設けられ、このつまみ６１が前記窓５６から突出するようになっている。この景品錘６０により、マガジンＭの運搬中に景品Ｑが飛び跳ねて、積層状態が乱れるのを防止したり、装着後は、景品引っ掛け突起４１による景品Ｑの払出しが確実になる。
【００５５】
なお、前記したプレート５３、シャッタ５４、プレート５７，５８、つまみ６１などは、前記と同様なＰＯＭなどで形成することができる。
【００５６】
また、マガジンＭの上面には、線材を折り曲げて形成した取手６２が設けられている。この取手６２は、マガジンＭの上部に回動自在に支持されており、使用時には筐体５０から外側に突出させることで手に掛けて持ち運ぶことができ、非使用時には倒すことで筐体５０から外側に突出しないようになっている。
【００５７】
また、図７に示すように、本実施形態の駆動ユニット３のマガジン収容空間Ｓａ内には、マガジンＭ内の景品Ｑの有無を検知する景品有無センサＳ１が設けられている。この景品有無センサＳ１は、回動自在に支持された検出片７１を有し、この検出片７１は、マガジンＭが駆動ユニット３にセットされたときに、景品Ｑの下面が接触する位置に設けられている。この景品有無センサＳ１では、景品Ｑおよび景品錘６０によって検出片７１が押圧されている場合には、マガジンＭ内に景品Ｑが残っていることを判断でき、また、検出片７１が立ち上がった場合には、マガジンＭ内の景品が空になったと判断できる。ちなみに、景品錘６０は、マガジンＭの最下部に位置した場合でも検出片７１を押圧しないように対応位置が切り欠かれており、マガジンＭが空になった場合には、検出片７１が押圧されないことによりマガジンＭが空になったことが検出可能となっている。なお、ここではケース３１Ａ側の景品有無センサＳ１のみについて説明したが、ケース３１Ｂ側についても、同様にして景品有無センサＳ１が設けられている（図４参照）。
【００５８】
また、図６に示すように、駆動ユニット３には、景品Ｑが指示された枚数だけ排出されたか否かを検知する景品カウントセンサＳ２が設けられている。この景品カウントセンサＳ２は、側板３１ｄの外面に固定され、前後方向に回動する検出片７２を有し、この検出片７２が下向きで開口部３１ｄ１内に突出している。この景品カウントセンサＳ２では、払い出し指令に基づいて、景品Ｑが開口部３１ｄ１から排出されると、景品Ｑによって検出片７２が前方に弾かれることによって、景品Ｑが駆動ユニット３から排出されたと判断される。なお、ここではケース３１Ａ側の景品カウントセンサＳ２について説明したが、ケース３１Ｂ側についても、同様にして景品カウントセンサＳ２が設けられている。
【００５９】
また、図４および図７に示すように、駆動ユニット３の背面側には、ユニット固定部８０が設けられている。このユニット固定部８０は、金属製などの板材を折り曲げて形成されたものであり、左右方向に細長く形成された板部８０ａを有している。さらに、ユニット固定部８０は、板部８０ａの長手方向に延びる一縁部が垂直に折り曲げられた長片部８０ｂと、長手方向両端の縁部が前記長片部８０ｂとは逆向きに垂直に折り曲げられた短片部８０ｃ，８０ｃと、を有している。また、長片部８０ｂには、左右方向の中央部に、ねじ挿通穴８０ｂ１が穿設されている。また、ユニット固定部８０は、板部８０ａがユニット本体３１の後方に形成された水平面３１ｓと、蝶番８１，８１を介して回動自在に連結されている。これにより、図７に示すように、装置本体２への装着時には、ユニット固定部８０を時計回り方向に回動して板部８０ａが水平に設定され、装置本体２からの取り外し時には、二点鎖線で示すように反時計回り方向に回動した状態になる。
【００６０】
また、図７に示すように、駆動ユニット３の正面の下部には、凸状の接続部９０が設けられており、この接続部９０によって装置本体２と電気的に接続されるようになっている。なお、装置本体２には、接続部９０と接続される凹状の接続部２１０が設けられている。ちなみに、接続部９０は、オスコネクタ、接続部２１０はメスコネクタに相当する。
【００６１】
また、図１０に示すように、各駆動ユニット３は、ユニット制御部１００を備えている。また、装置本体２は制御部２００を有し、この制御部２００が、装置本体２に対しての駆動ユニット３の着脱を判定する判定手段を有している。
【００６２】
前記ユニット制御部１００は、駆動モータ３２Ａ，３２Ｂ、景品有無センサＳ１、および景品カウントセンサＳ２と電気的に接続されている。また、ユニット制御部１００は、駆動モータ３２Ａ，３２Ｂの回転動作および停止動作を制御する。また、ユニット制御部１００は、景品有無センサＳ１により景品が空になったことを検知した場合には、景品が空である旨の信号を生成して、この信号を制御部２００に伝達する。この信号を受けた制御部２００は、店員側の表示部２６に、このマガジンＭの景品Ｑが空になった旨を警告表示などする。また、ユニット制御部１００は、制御部２００からの景品払い出し枚数を示す信号に基づいて、景品カウントセンサＳ２で払い出された景品Ｑをカウントしながら払い出しを行う。なお、景品Ｑの詰まりなどで、景品カウントセンサＳ２からの検出出力が得られなくなった場合には、警告表示などを行う。
【００６３】
一方、制御部２００は、装置本体２側に設けられ、ＰＯＳ装置３００と通信可能に接続されるとともに、店員側の表示部２６、客側の表示部、景品抜き取りセンサＳ３と接続されている。制御部２００は、各駆動ユニット３などを統括的に制御するものであり、ＰＯＳ装置３００からの景品払出指令に基づいて払い出しを要する景品に対応した（景品Ｑの払出しが必要な）駆動ユニット３に、払出しの信号を送るようになっている。また、各駆動ユニット３の現在の状態を監視して、表示部２６などにその状態を表示する。
【００６４】
前記景品抜き取りセンサＳ３は、景品Ｑが景品取出し口２７から抜き取られたか否かを判断するセンサであり、図１３に示すように、景品取出し口２７の底面に進退自在に支持された検出片７３を備えている。この検出片７３は、景品Ｑが景品取出し口２７に払い出されると押され、景品Ｑが抜き取られると底面から突出した状態に復帰する。このように検出片７３が押された後に復帰することにより、その景品取出し口２７からの景品Ｑの抜き取りが完了したことが検知される。
【００６５】
次に、本実施形態の景品払出装置１について図１１ないし図１３を参照（適宜、他の図面を参照）しながら説明する。図１１は駆動ユニットをユニット収容部に収容するときの動作説明図であり、（ａ）は装着前の状態、（ｂ）は装着直前の状態、図１２はマガジンをマガジン収容空間に収容するときの動作説明図であり、（ａ）はマガジンの挿入初期の状態、（ｂ）はマガジンの挿入途中の状態、（ｃ）はマガジンの挿入完了状態、図１３は景品取出し口の拡大斜視図である。
【００６６】
まず、駆動ユニット３を装置本体２に設けられたユニット収容部２５に収容する場合には、ユニット着脱用扉２２，２３をそれぞれ上下に大きく開放する（図３参照）。また、必要に応じて、背面パネル２２ａ（図１（ｂ）参照）を外側にスライドさせる。そして、図１１（ａ）に示すように、駆動ユニット３のユニット固定部８０を折り畳んだ状態で、ユニット収容部２５内に収容する。これにより、駆動ユニット３に設けられた接続部９０と、装置本体２に設けられた接続部２１０とが同じ高さ位置に設定される。そして、駆動ユニット３を前方（図示左側）へスライド動作させることによって、接続部９０と接続部２１０とが接続され、図１１（ｂ）に示す状態に至る。
【００６７】
このように、本実施形態では、ユニット固定部８０がユニット本体３１の端部（本実施形態では後端面の上部）に所定角度（本実施形態では略水平）を上限に傾倒自在に設けられているので、駆動ユニット３の収容時および抜き取り時の前後方向へのスライドスペースを確保できるようになり、駆動ユニット３の着脱作業が容易になる。
【００６８】
また、駆動ユニット３を前記のようにスライド動作させることにより、ユニット固定部８０が装置本体２に設けられた固定部２ｂに位置決め固定可能な位置となる。そして、ユニット固定部８０を時計回り方向に回動させることにより、ユニット固定部８０の長片部８０ｂが固定部２ｂと面接触した状態になる。これにより、駆動ユニット３が、ユニット収容部２５（図１（ｂ）参照）内に位置決めされる。また、このとき、ユニット固定部８０の長片部８０ｂに形成されたねじ挿通穴８０ｂ１の位置と、固定部２ｂに形成されたねじ穴２ｂ１の位置とが一致する。そして、この状態において、つまみ付きねじ８２を、長片部８０ｂのねじ挿通穴８０ｂ１に挿入するとともに、手動でねじ穴２ｂ１にねじ込むことにより、駆動ユニット３が装置本体２に位置決め固定される。なお、本実施形態の景品払出装置１では駆動ユニット３が４台取付けられるようになっており、残りの駆動ユニット３についても前記と同様にして装着することができる。
【００６９】
次に、駆動ユニット３へのマガジンＭの装着手順について説明すると、図１２（ａ）に示すように、店員は、景品Ｑが収納されたマガジンＭを手に持って、マガジンＭを所定の傾斜角度に傾けた状態で、マガジンＭの両側に形成された案内溝５１を揺動ガイド部３４に挿入する。なお、このときの傾斜角度は、特に限定されるものではないが、マガジンＭ内の景品Ｑが倒れない角度に設定することが好ましく、例えば２０度程度にすることが好ましい。
【００７０】
また、マガジンＭは、景品錘６０のつまみ６１が上側となるような向きで挿入し、マガジンＭをさらに挿入すると、マガジンＭのプレート５７が案内ガイド部３５の平坦面３５ｂに当接する（図１２（ａ）参照）。そして、マガジンＭを後側（挿入方向奥側）に揺動させると、マガジンＭの自重によって、案内溝５１が揺動ガイド部３４によって摺動しながら、さらにプレート５７が平坦面３５ｂ、傾斜面３５ａ、平坦面３５ｃを摺動し、図１２（ｂ）の状態に至る。この図１２（ｂ）の状態では、マガジンＭのプレート５３の下端面が、ガイド部３７の平坦面３７ｃに位置し、プレート５７の外面が、案内ガイド部３５の平坦面３５ｃに位置する。これにより、マガジンＭが垂直な状態となって揺動が規制される。そして、図１２（ｂ）に至ると、マガジンＭの自重によって、マガジンＭの案内溝５１が位置決めガイド部３６と嵌合しながら案内され、図１２（ｃ）に示す状態に至り、マガジンＭの装填が完了する。なお、前記したように、図１２（ｃ）の状態では、シャッタ５４が持上げられて、景品ＱをマガジンＭから搬送させることができるようになっている。
【００７１】
このように、本実施形態では、マガジンＭを傾斜させた状態で挿入することができるので、従来のように装置の真上から位置を確認しながら挿入する必要がなくなり、マガジンＭの装填作業時の煩雑さを解消することができる。よって、背が低めの店員であっても、マガジンを容易に装填することができるようになる。
【００７２】
また、本実施形態では、揺動ガイド３４が円形状に形成されているので、マガジンＭを滑らかに動作させながらマガジンＭの装填作業を行うことができる。なお、揺動ガイド部３４は、マガジンＭを円滑に動作させることができるものであれば円形に限定されるものではなく、楕円形、半円形などであってもよい。あるいは、ケース３１Ａ，３１Ｂに回転自在に支持されたローラなどであってもよい。また、傾斜面３５ａを備えた案内ガイド部３５が設けられているので、この点においても、マガジンＭの装填作業を円滑に行うことが可能になる。さらに、位置決めガイド部３６が設けられているので、マガジンＭの案内としての機能とともに、位置決めとしての機能を付与することができる。さらに、案内ガイド部３５およびガイド部３７に、傾斜面３５ａ，３７ａが形成されているので、例えマガジンＭを真上から挿入する場合であっても、マガジンＭを引っ掛かりなく装填することが可能になる。なお、マガジンＭの抜き取り時に、図１２（ｃ）の状態から図１２（ｂ）の状態になると、マガジンＭを傾けることができるようになるが、図１２（ｃ）の状態から図１２（ｂ）の状態に至ったときに、クリック音を出すようにすると、マガジンＭを抜くときにどのタイミングで傾ければよいかがわかる。
【００７３】
そして、駆動モータ３２Ａ（３２Ｂ）の回転動力によって、プーリーＰ１，Ｐ２，Ｐ３，Ｐ４（Ｐ５，Ｐ６，Ｐ７，Ｐ８）がそれぞれ回転することで、搬送ベルトＢ２（Ｂ４）が所定の方向へ駆動する。これにより、搬送ベルトＢ２（Ｂ４）の景品引っ掛け突起４１によって景品Ｑが前方へ押されることで、景品ＱがマガジンＭから搬出される。マガジンＭから搬出された景品Ｑは、図１３に示すように、装置本体２に設けられた景品取出し口２７に向けて排出される。なお、景品取出し用扉２４は、すべての景品Ｑの払い出しが完了したときに開くように制御部２００によって制御されている。
【００７４】
また、駆動ユニット３からマガジンＭを抜き取る場合には、図１２（ｃ）の状態において、マガジンＭを垂直にした状態で持ち上げるだけで、つまり、挿入時のようにマガジンＭを傾斜させることなく、マガジンＭを駆動ユニット３から抜き取ることができる。
【００７５】
また、制御部２００は、装置本体２から一部の駆動ユニット３が取り外されて、接続部９０と接続部２１０との接続が遮断されたことを検知すると、駆動ユニット３が脱状態であると判断して、残りの駆動ユニット３で景品Ｑの払出しを継続するようになっている。このように構成することで、業務が中断するのを極力抑えることが可能になる。
【００７６】
なお、図１４に示すような景品払出装置１Ａであってもよい。この景品払出装置１Ａは、装置本体２の筐体２１が、上部筐体２１Ａと下部筐体２１Ｂとに分離できるように構成されており、上部筐体２１Ａはそのままの向きで、下部筐体２１Ｂの向きを１８０度反転させて設置することができる。この場合には、払い出された景品Ｑを客が直接に抜き取ることができる。このような構成であっても、マガジンＭの装填作業やメンテナンス作業は、従来どおりに、店員側から行うことができるようになっている。
【００７７】
そして、すべての景品Ｑの払い出しが完了すると景品取出し用扉２４が開放する。そして、店員が、各景品取出し口２７（図３、図１３参照）から景品Ｑを抜き取ると、ユニット制御部１００は、検出片７３（図１３参照）の復帰を検知して、景品Ｑが抜き取られたと判断する。そして、残りの景品Ｑについても同様に検知して判断する。そして、各ユニット制御部１００は、制御部２００に対して景品Ｑの抜き取りが完了したことを示す信号を送信する。なお、制御部２００は、すべての景品Ｑの抜き取りを完了した信号を受けるまで、次回の景品Ｑの払出しを中断する。
【００７８】
なお、本実施形態では、２つのケース３１Ａ，３１Ｂを１組とした駆動ユニット３で構成したが、駆動ユニットを、一のマガジン収容空間、一の駆動モータおよび一の駆動力伝達機構で構成してもよい。
【００７９】
また、本実施形態では、ケース３１Ａ，３１Ｂに駆動モータ３２Ａ，３２Ｂを設けた駆動ユニット３としたが、これに限定されるものではなく、クラッチ機構などを設けて、ケース３１Ａ，３１Ｂに単一の駆動モータを設けた駆動ユニットであってもよい。
【図面の簡単な説明】
【００８０】
【図１】本実施形態の景品払出措置の外観を示し、（ａ）は正面図、（ｂ）は側面図である。
【図２】本実施形態の景品払出装置の外観斜視図である。
【図３】本実施形態の景品払出装置の内部構造を示す分解斜視図である。
【図４】駆動ユニットを示す平面図である。
【図５】駆動ユニットを示す側面図であり、（ａ）は図４のＡ方向から見たときの図、（ｂ）は図４のＢ方向からみたときの図である。
【図６】駆動ユニットの正面図である。
【図７】図６のＣ矢視図である。
【図８】図６のＤ矢視図である。
【図９】駆動ユニットに装填されるマガジンを示し、（ａ）は側面図、（ｂ）は正面図、（ｃ）は背面図、（ｄ）は（ａ）のＥ−Ｅ断面図である。
【図１０】本実施形態の景品払出装置を示す制御ブロック図である。
【図１１】駆動ユニットをユニット収容部に収容するときの動作説明図であり、（ａ）は装着前の状態、（ｂ）は装着時の状態である。
【図１２】マガジンをマガジン収容空間に収容するときの動作説明図であり、（ａ）はマガジンの挿入初期の状態、（ｂ）はマガジンの挿入途中の状態、（ｃ）はマガジンの挿入完了状態である。
【図１３】景品取出し口の拡大斜視図である。
【図１４】本実施形態の景品払出装置の変形例を示す側面図である。
【符号の説明】
【００８１】
１      景品払出装置
２      装置本体
３      駆動ユニット
２５    ユニット収容部
３１    ユニット本体
３１Ａ，３１Ｂ  ケース
３１ａ，３１ｂ，３１ｃ  側板
３２Ａ，３２Ｂ  駆動モータ
３３Ａ，３３Ｂ  駆動力伝達機構
５１    案内溝
３４    揺動ガイド部
３５    案内ガイド部
３５ａ  傾斜面
３５ｃ  平坦面
３６    位置決めガイド部
３７    ガイド部
３７ｃ  平坦面
５１    案内溝
８０    ユニット固定部
２００  制御部（判定手段）
Ｍ      マガジン
ｍ１，ｍ２  駆動軸
Ｐａ，Ｐｂ  開放部
Ｑ      景品
Ｓａ，Ｓｂ  マガジン収容空間
Ｕ      駆動機構収容部
【図１】
2007296142.tif 000003
【図２】
2007296142.tif 000004
【図３】
2007296142.tif 000005
【図４】
2007296142.tif 000006
【図５】
2007296142.tif 000007
【図６】
2007296142.tif 000008
【図７】
2007296142.tif 000009
【図８】
2007296142.tif 000010
【図９】
2007296142.tif 000011
【図１０】
2007296142.tif 000012
【図１１】
2007296142.tif 000013
【図１２】
2007296142.tif 000014
【図１３】
2007296142.tif 000015
【図１４】
2007296142.tif 000016